(57)【要約】【課題】メール送信時にデータ量が大きくなることなく、かつメール受信時にデコード処理をすることなく、受信データに含まれる顔文字の示す感情に対応したメロディを流すことができる携帯電話機を提供する。【解決手段】使用者は、予め、受信データに含まれる顔文字と、その顔文字の示す感情に対応したメロディの一覧であるメロディテーブルをメロディテーブル記憶部４に記憶しておく。携帯電話機が受信データを受信すると、制御部８は、受信データ内に顔文字が含まれているか否かを判断する。顔文字が含まれている場合、メロディテーブルに基づいて、その顔文字の示す感情に対応したメロディをメロディデータ記憶部３から読み出しスピーカー５に出力する。【選択図】図１
2007316878.tif 000002
【特許請求の範囲】
【請求項１】
メロディデータを記憶するメロディデータ記憶部と、
送受信部によって受信された受信データに含まれる第１文字列と前記メロディデータとの対応を示すメロディテーブルを記憶するメロディテーブル記憶部と、
前記メロディテーブルに基づいて、前記受信データに含まれる前記第１文字列に対応する前記メロディデータをスピーカーに出力する制御部と、
を備えることを特徴とする携帯電話機。
【請求項２】
前記制御部は、前記メロディテーブルに基づいて、前記受信データの題目部分に含まれる前記第１文字列に対応する前記メロディデータを前記スピーカーに出力することを特徴とする請求項１に記載の携帯電話機。
【請求項３】
前記受信データの内容を表示する表示部をさらに備え、
前記制御部は、前記表示部に前記受信データの本文部分が表示されている時に前記メロディデータを前記スピーカーに出力することを特徴とする請求項２に記載の携帯電話機。
【請求項４】
前記受信データの内容を表示する表示部をさらに備え、
前記制御部は、前記表示部に表示される前記受信データの本文部分の先頭文字位置から最初に現れる前記第１文字列に対応するメロディデータを前記スピーカーに出力することを特徴とする請求項１に記載の携帯電話機。
【請求項５】
前記制御部は、スクロールなどにより前記受信データの本文部分の先頭文字位置から最初に現れる前記第１文字列が変化したときは、変化後の前記第１文字列に対応する前記メロディデータを前記スピーカーに出力することを特徴とする請求項４に記載の携帯電話機。
【請求項６】
前記制御部は、前記表示部に前記受信データの本文部分が表示されているときに限って前記メロディデータを前記スピーカーに出力することを特徴とする請求項４又は５に記載の携帯電話機。
【請求項７】
前記第１文字列は、所定の感情を表す顔文字であることを特徴とする請求項１から６の何れかに記載の携帯電話機。
【請求項８】
前記メロディデータは使用者が変更可能であり、
前記メロディデータ記憶部は、使用者が変更不可能なプリセットメロディデータをさらに記憶し、
前記メロディテーブルは使用者が変更可能であり、
前記メロディテーブル記憶部は、前記受信データに含まれる第２文字列と前記プリセットメロディデータとの対応を示す使用者が変更不可能なプリセットメロディテーブルをさらに記憶し、
前記制御部は、前記メロディテーブルを優先しつつ、前記プリセットメロディテーブルに基づいて、前記受信データに含まれる前記第２文字列に対応する前記プリセットメロディデータを前記スピーカーに出力することを特徴とする請求項１から７の何れかに記載の携帯電話機。
【請求項９】
前記制御部は、前記プリセットメロディテーブルに基づいて、前記受信データの題目部分に含まれる前記第２文字列に対応するプリセットメロディデータを出力することを特徴とする請求項８に記載の携帯電話機。
【請求項１０】
前記制御部は、前記表示部に表示される前記受信データの本文部分の先頭文字位置から最初に現れる前記第２文字列に対応するプリセットメロディデータを前記スピーカーにさらに出力することを特徴とする請求項９に記載の携帯電話機。
【請求項１１】
前記第２文字列は、所定の感情を表す顔文字であることを特徴とする請求項８から１０の何れかに記載の携帯電話機。
【発明の詳細な説明】
【技術分野】
【０００１】
この発明は、受信メール本文の表示中にメロディを再生する機能を有する携帯電話機に関する。
【背景技術】
【０００２】
特許文献１に記載の携帯電話機は、メール送信者側の携帯電話機において、メール本文の文字列データにメロディデータを付与してエンコードを行い、メールを送信している。そして、メール受信者側の携帯電話機において、受信したメール本文の文字列データとメロディデータのデコード処理を行っている。このような構成にすることで、メール受信者がメール本文の内容を確認中に、メール本文に付与したメロディを流すことができる。
【０００３】
【特許文献１】特開平１１−１３６３９３号公報
【発明の開示】
【発明が解決しようとする課題】
【０００４】
しかしながら、特許文献１に記載の携帯電話機では、メール受信者側の携帯電話機でメロディを流そうとすると、メール送信者側の携帯電話機によりメロディデータを付与して送信する必要がある。
【０００５】
また、メール受信者は、メロディデータを付与してエンコードしたメールを受信すると、送信されたメロディデータをデコードして再生する必要がある。その結果、メール送信時の送信データ量が大きくなるという問題がある。
【０００６】
そこで、本発明はメール送信時にデータ量が大きくなることなく、かつメール受信時にデコード処理をすることなく、受信データに含まれる所定の文字列に対応したメロディを流すことができる携帯電話機を提供する。
【課題を解決するための手段】
【０００７】
請求項１に記載の携帯電話機は、メロディデータを記憶するメロディデータ記憶部と、受信部によって受信された受信データに含まれる所定の文字列と前記メロディデータとの対応を示すメロディテーブルを記憶するメロディテーブル記憶部と、前記メロディテーブルに基づいて、前記受信データに含まれる前記所定の文字列に対応する前記メロディデータをスピーカーに出力する制御部と、を備えることを特徴とする。
【発明の効果】
【０００８】
請求項１に記載の発明によれば、受信側の携帯電話機は、受信データに含まれるメロディデータをデコードすることなく、受信メールに含まれる所定の文字列に対応したメロディを流すことができる。また、送信側の携帯電話機は、受信側の携帯電話機が予め備えるメロディデータを出力するので、送信データにメロディデータを付与する必要がない。
【発明を実施するための最良の形態】
【０００９】
＜実施の形態１＞
本実施の形態１に係る携帯電話機は、所定の顔文字と関連付けられたメロディを示すメロディテーブルがプリインストールされており、受信メール内に所定の顔文字が存在すると、メロディテーブルに基づいて、その顔文字に関連付けられたメロディを流すものである。以下、本実施の形態１に係る携帯電話機の構成について詳細に説明する。
【００１０】
＜Ａ．構成＞
図１は、本実施の形態１に係る携帯電話機の構成を示す図である。アンテナ１１が送受信部１に接続され、送受信部１は制御部８に接続されている。制御部８には、受信データを記憶する受信データ記憶部２、メロディデータを記憶するメロディデータ記憶部３、及びメロディテーブルを記憶するメロディテーブル記憶部４が接続されている。
【００１１】
制御部８には、スピーカー５、表示部６及び操作部７が接続されている。制御部８は、送受信データのエンコードを行うエンコーダ９及び送受信データのデコードを行うデコーダ１０を備えている。
【００１２】
図２は、携帯電話機ＭＳ１，ＭＳ２と、メロディテーブルＴａ１，Ｔａ２を示す図である。携帯電話機ＭＳ１は、メール受信側の携帯電話機であり、メロディテーブル記憶部４内にメロディテーブルＴａ１を記憶している。また、携帯電話機ＭＳ２は、メール送信側携帯電話機であり、メロディテーブル記憶部４内にメロディテーブルＴａ２を記憶している。
【００１３】
メロディテーブルＴａ１は、携帯電話機ＭＳ１に予めインストールされているメロディ１〜Ｎと、「楽しい」，「ごめんなさい」等の感情との対応を示す表である。例えば、メロディテーブルＴａ１では、メロディ１：曲名『ＡＡＡ』に対して、「楽しい」という感情が対応している。
【００１４】
また、メロディテーブルＴａ２は、携帯電話機ＭＳ２に予めインストールされているメロディ１〜Ｎと、「つらい」，「楽しい」等の感情との対応を示す表である。例えば、メロディテーブルＴａ２では、メロディ１：曲名『ＥＥＥ』に対して、「つらい」という感情が対応している。
【００１５】
さらに、図３，４に示すように、予め携帯電話機ＭＳ１の使用者により、メロディデータであるメロディ１〜Ｎの夫々に関連付けられて喜怒哀楽などの感情を表す顔文字がメロディテーブルＴａ１に登録されている。そのため、メロディテーブルＴａ１は、第１文字列である顔文字と、メロディデータとの対応を示している。
【００１６】
ここで、図３は、メロディ１に関連付けられてメロディテーブルＴａ１に登録された、「楽しい」という感情を表す一連の顔文字を示す図である。また、図４は、メロディ２に関連付けられてメロディテーブルＴａ１に登録された、「ごめんなさい」という感情を表す一連の顔文字を示す図である。送信側の携帯電話機ＭＳ２のメロディテーブルＴａ２にも同様に、使用者によりメロディ１〜Ｎの夫々に対して一連の顔文字が関連付けられて登録されている。
【００１７】
携帯電話機ＭＳ１は、以上説明した構成を備えており、受信メールの題名にメロディテーブルＴａ１に登録された所定の文字列である顔文字が含まれていた場合、受信メール本文が表示部６に表示されたときに、図３，４に示す顔文字に対応したメロディを流す。
【００１８】
以下、図５から図７を参照して本実施の形態１に係る携帯電話機ＭＳ１の動作について詳細に説明する。なお、送信者側の携帯電話機ＭＳ２も、メールを受信した場合、携帯電話機ＭＳ１と同様の動作をするように構成されている。
【００１９】
＜Ｂ．動作＞
図５は、本実施の形態１に係る携帯電話機ＭＳ１の動作を説明するためのフローチャートである。また、図６は、携帯電話機ＭＳ１の表示部６（図１）に表示される受信メールのトップ画面を示す図である。図６に示すように、受信メールのトップ画面には、受信メールの題名、送信者のメールアドレス、及び本文が表示されている。そして、図７は、受信メール本文の表示画面を示す図である。
【００２０】
まず、ステップＳ１では、使用者がメール機能を起動すると、制御部８は、使用者が現在選択している受信メールの題名、メール送信者のメールアドレス並びに受信メールの本文の文字列データを受信データ記憶部２から取得する。このとき、図６に示すように、携帯電話機ＭＳ１の表示部６には、受信メールの題名、送信者のメールアドレス、及びメールの本文が表示される。
【００２１】
次に、ステップＳ２では、制御部８は、選択された受信メールの題名に、使用者によって予めメロディテーブルＴａ１に登録された顔文字があるか否か判断する。受信メールの題名に、登録済みの顔文字がある場合（「Ｙｅｓ」の場合）は、ステップＳ３に進む。
【００２２】
例えば、図６に示す受信メールのトップ画面では、受信メールの題名に顔文字（『＼（＾０＾）／』）があり、図３を参照すると、「楽しい」という感情を表現する顔文字としてメロディテーブルＴａ１に登録されている。そのため、携帯電話機ＭＳ１が、図６に示す受信メールを受信したときには、ステップＳ３に進む。一方、受信メールの題名に、登録済みの顔文字がない場合（「Ｎｏ」の場合）は、ステップＳ６に進む。
【００２３】
次に、ステップＳ３では、制御部８は、メロディテーブルＴａ１に基づいて、顔文字に対応するメロディをメロディデータ記憶部３から読み出してセットする。図６の例では、受信メールの題名に顔文字（『＼（＾０＾）／』）が含まれているので、その顔文字に対応するメロディ１（曲名『ＡＡＡ』）のメロディデータをメロディデータ記憶部３から読み出しセットする（図３参照）。
【００２４】
次に、ステップＳ４では、制御部８は、受信メールのトップ画面（図６参照）に表示されている受信メール本文が使用者により選択されて、携帯電話機ＭＳ１の表示部６に受信メール本文（図７参照）が表示されているか否かを判断する。受信メール本文が表示されている場合（「Ｙｅｓ」の場合）、ステップＳ５に進む。受信メール本文が表示されていない場合（「Ｎｏ」の場合）、制御部８は、繰り返し、受信メール本文が表示されているか否かを判断する。
【００２５】
次に、ステップＳ５では、制御部８は、ステップＳ３でセットされたメロディ（本実施の形態１の例では、メロディ１：曲名『ＡＡＡ』）をスピーカー５に出力する。スピーカー５は、携帯電話機ＭＳ１の外部にメロディ１を流す。
【００２６】
また、ステップＳ６では、制御部８は、受信メールの題名にメロディテーブルＴａ１に登録されている顔文字がないので、メロディデータをセットせず、携帯電話機ＭＳ１はメロディを流さない。
【００２７】
以上説明したシーケンスにしたがって、受信側の携帯電話機ＭＳ１は、送信側の携帯電話機ＭＳ２からメロディデータを受信しなくても、受信メールの題目に予めメロディテーブルＴａ１に登録された顔文字がある場合には、その顔文字の感情を示すメロディを外部に流すことができる。
【００２８】
＜Ｃ．効果＞
本実施の形態１に係る携帯電話機ＭＳ１は、メロディデータを記憶するメロディデータ記憶部３と、送受信部１によって受信された受信データに含まれる第１文字列である顔文字とメロディデータとの対応を示すメロディテーブルＴａ１を記憶するメロディテーブル記憶部４と、メロディテーブルＴａ１に基づいて、受信データに含まれる顔文字に対応するメロディデータをスピーカー５に出力する制御部８を備えている。
【００２９】
そのため、送信者側の携帯電話機ＭＳ２は、送信メールにメロディデータを付与することなく、受信者側の携帯電話機ＭＳ１に、送信者の意図する顔文字に対応したメロディを流させることができる。
【００３０】
その結果、受信者側の携帯電話機ＭＳ１では、メロディデータが付与されたメールを受信する場合には必要となるメロディデータのデコード処理が不要となる。また、携帯電話機ＭＳ２においては、メールの文字データのみの送信となるので、メロディデータの送信が不要になり、送信データを軽減できる。
【００３１】
本実施の形態１に係る携帯電話機ＭＳ１は、表示部６に受信データの本文部分が表示されている時にメロディデータをスピーカー５に出力できる。
【００３２】
また、本実施の形態１に係る携帯電話機ＭＳ１は、受信データの題目部分に含まれる顔文字に対応したメロディを流すことができる。
【００３３】
＜実施の形態２＞
＜Ａ．構成＞
本実施の形態２に係る携帯電話機ＭＳ１の構成は、制御部８（図１）の動作を除いて、実施の形態１と同様であるので、詳細な説明は省略する。
【００３４】
本実施の形態２に係る携帯電話機ＭＳ１は、受信メールの本文中に、メロディテーブルＴａ１に登録済みの顔文字が含まれていた場合、携帯電話機ＭＳ１の使用者が受信メール本文を選択し、表示部６に受信メール本文が表示されたときに、携帯電話機ＭＳ１は、登録済みの顔文字に対応するメロディを流す。
【００３５】
また、出力中のメロディに関連付けられた顔文字が表示部６からスクリーンアウトしたときは、その顔文字以降にメロディテーブルＴａ１に別の登録済み顔文字が表示部６にある場合、その顔文字に関連付けられたメロディを流す。そして、メロディテーブルＴａ１に別の登録済みの顔文字データがない場合は、いままで流れていたメロディを継続して流す。
【００３６】
以下、図８、図９を参照して本実施の形態２に係る携帯電話機ＭＳ１の動作について詳細に説明する。
【００３７】
＜Ｂ．動作＞
図８、図９は、本実施の形態２に係る携帯電話機ＭＳ１の動作を説明するためのフローチャートである。
【００３８】
まず、ステップＳ１では、使用者がメール機能を起動すると、制御部８は、使用者が現在選択している受信メールの題名、メール送信者のメールアドレス並びに受信メールの本文の文字列データを受信データ記憶部２から取得する。
【００３９】
次に、ステップＳ２では、制御部８は、選択された受信メールの本文に、携帯電話機ＭＳ１の使用者によってメロディテーブルＴａ１に予め登録された顔文字データが存在するか否か判断する。受信メール本文中に登録済みの顔文字データが存在する場合、（「Ｙｅｓ」の場合）は、ステップＳ３に進む。
【００４０】
本実施の形態２の例では、図７に示すように、受信メール本文中に、メロディテーブルＴａ１に予め登録された顔文字（『ｍ（＿  ＿）ｍ』、『（≧∇≦）』、等）があるので（図３，４参照）、ステップＳ３に進む。
【００４１】
一方、受信メール本文中に、登録済みの顔文字が存在しない場合（「Ｎｏ」の場合）は、ステップＳ１２に進む。ステップＳ１２では、受信メールの本文にメロディテーブルＴａ１に登録されている顔文字がないため、携帯電話機ＭＳ１はメロディを流さず、処理を終える。
【００４２】
次に、ステップＳ３では、制御部８は、受信メール本文選択時に、受信メール本文の先頭文字位置から最初に表示される登録された顔文字に対応するメロディをメロディデータ記憶部３から読み出してセットする。
【００４３】
本実施の形態２の例では、図７を参照すると、受信メール本文の先頭文字位置（「昨日は・・・」の『昨』が該当する。）から最初に表示される登録された顔文字は、顔文字（『ｍ（＿  ＿）ｍ』）である。そして、図４を参照すると、メロディテーブルＴａ１には、メロディ２（曲名『ＢＢＢ』）と顔文字（『ｍ（＿  ＿）ｍ』）とが関連付けられて登録されている。その結果、制御部８は、メロディ２をメロディデータ記憶部３から読み出してセットする。
【００４４】
次に、ステップＳ４では、携帯電話機ＭＳ１の使用者が、受信メールのトップ画面（図６参照）内の受信メール本文を選択し、現在携帯電話機ＭＳ１に表示されている画面が受信メール本文（図７参照）であるか否か判断する。
【００４５】
受信メール本文である場合（「Ｙｅｓ」の場合）は、ステップＳ５に進む。また、受信メール本文でない場合（「Ｎｏ」の場合）は、再び受信メール本文を表示しているか否かを判断する。
【００４６】
次に、ステップＳ５では、図７に示すように携帯電話機ＭＳ１の使用者が受信メール本文を表示した場合、携帯電話機ＭＳ１はステップＳ３でセットされているメロディを流す。ここで、本実施の形態２の例で流されるメロディは、メロディ２（曲名『ＢＢＢ』）である。
【００４７】
次に、ステップＳ６では、制御部８は、スクロールなどにより、メール本文の先頭文字が変更されたか否かを判断する。具体的には、受信メール本文の文字数が相当数存在する場合、１画面上に表示可能な文字数が限定されている。そのため、受信メール本文のすべての文字を１画面で表示することは困難である。その際、使用者は、図７に示す画面から図１０に示す画面へ画面をスクロールさせ、受信メール本文の先頭行をスクリーンアウトして最終行の次行をスクリーンインさせる。ここで、図１０は、スクロール後の表示部６の表示画面を示す図である。
【００４８】
例えば、図７に示す「昨日は・・・」の『昨』から、図１０に示す「突然・・・」の『突』へ受信メール本文の先頭文字が変更されたか否かを判断することで、画面スクロールが行われたか否かを判断する。
【００４９】
そして、受信メール本文の先頭文字が変更された場合（「Ｙｅｓ」の場合）は、ステップＳ７に進み、受信メール本文の先頭文字が変更されていない場合（「Ｎｏ」の場合）は、ステップＳ１０に進む。なお、受信メール先頭文字が変更されていない場合、受信メール本文を表示中はそのまま現在流れているメロディを継続して流す。
【００５０】
次に、ステップＳ７では、制御部８は、画面スクロール後の受信メール本文の先頭文字位置（図１０において、「突然・・・」の『突』が該当する）以降にメロディテーブルＴａ１に登録されている顔文字が存在するか否か判断する。顔文字が存在する場合（「Ｙｅｓ」の場合）は、ステップＳ８に進む。一方、顔文字が存在しない場合（「Ｎｏ」の場合）は、ステップＳ１０に進む。また、顔文字が存在しない場合、受信メール本文の表示中はそのまま現在流れているメロディを継続して流す。
【００５１】
本実施の形態２の例では、図１０に示すように、スクロール後の受信メール本文に顔文字（『（≧∇≦）』）が存在するので、ステップＳ８に進む。
【００５２】
次に、ステップＳ８では、スクロール後の受信メール本文に存在する顔文字と関連付けられたメロディテーブルＴａ１のメロディが、現在流れているメロディと異なるか否かを判断する。メロディが異なる場合（「Ｙｅｓ」の場合）は、ステップＳ９に進む。メロディが同一の場合（「Ｎｏ」の場合）は、ステップＳ１０に進む。そして、メロディが同一である場合、受信メール本文の表示中は、そのまま現在流れているメロディを継続して流す。
【００５３】
本実施の形態２の例では、図１０に示すように、画面スクロール後の受信メール本文の先頭文字位置（「突然・・・」の『突』が該当する）以降にある顔文字は、顔文字（『（≧∇≦）』）である。そして、この顔文字は、図３に示すように、メロディテーブルＴａ１に登録され、メロディ１：曲名「ＡＡＡ」と関連付けられている。現在流れているメロディ２：曲名「ＢＢＢ」とは異なるメロディであるため、ステップＳ９に進む。
【００５４】
次に、ステップＳ９では、現在の本文先頭文字位置から最初に表示される登録された顔文字に対応したメロディテーブルＴａ１のメロディをセットする。本実施の形態２の例では、図１０に示すように、スクロール後の先頭文字位置から最初に表示される顔文字は顔文字（『（≧∇≦）』）であり、図３を参照してメロディ１（曲名『ＡＡＡ』）と関連付けられているため、メロディ１をメロディデータ記憶部３から読み出しセットする。
【００５５】
次に、ステップＳ１０では、携帯電話機ＭＳ１の使用者により受信メール本文画面（例えば図１０）から受信メールトップ画面（図６）へ画面遷移したか否かを判断する。受信メールのトップ画面に画面遷移が行われている場合（「Ｙｅｓ」の場合）、ステップＳ１１に進む。一方、受信メールのトップ画面に画面遷移が行われてない場合（「Ｎｏ」の場合）は、ステップＳ５に進み、ステップＳ５からステップＳ１０までの処理を繰り返す。そして、ステップＳ１１では、携帯電話機ＭＳ１は、現在流れているメロディを止める処理を行う。
【００５６】
＜Ｃ．効果＞
本実施の形態２に係る携帯電話機ＭＳ１は、表示部６に表示される受信メール本文中の先頭文字位置から最初に現れる第１文字列である顔文字に対応するメロディデータをスピーカー５に出力するように構成されている。そのため、受信メール本文に複数の顔文字が存在する場合であっても、それぞれの顔文字の感情に合った複数のメロディを画面スクロールに応じて順番に流すことができる。
【００５７】
本実施の形態２に係る携帯電話機ＭＳ１は、制御部８が、スクロールなどにより受信データの本文部分の先頭文字位置から最初に現れる顔文字が変化したときは、変化後の前記顔文字に対応するメロディデータをスピーカー６に出力するように構成されている。
【００５８】
その結果、本実施の形態２に係る携帯電話機ＭＳ１は、変化後の顔文字に対応するメロディを流すことができる。
【００５９】
本実施の形態２に係る携帯電話機ＭＳ１は、表示部６に受信データの本文部分が表示されているときに限ってメロディデータをスピーカー５に出力することができるので、使用者が受信データの本文を読んでる時に、受信データ本文中に含まれる顔文字に対応したメロディを流すことができる。
【００６０】
＜実施の形態３＞
＜Ａ．構成＞
本実施の形態３に係る携帯電話機ＭＳ１のメロディテーブル記憶部４は、実施の形態１，２に示した使用者が変更可能なメロディテーブルＴａ１に加えて、使用者が変更不可能なプリセットメロディテーブルをさらに記憶している。ここで、プリセットメロディテーブルは、メロディテーブルＴａ１と同様に、携帯電話機ＭＳ１に予めインストールされているプリセットメロディ１〜Ｎと、「楽しい」，「ごめんなさい」等の感情との対応を示す表である。
【００６１】
さらに、メロディテーブルＴａ１とは異なって使用者が自ら登録することなく、図１１，１２に示すように、プリセットメロディ１〜Ｎの夫々に関連付けられて喜怒哀楽などの感情を表す第２文字列である顔文字がプリセットメロディテーブルに予め登録されている。ここで図１１は、プリセットメロディ１に関連付けられてプリセットメロディテーブルに登録された、「楽しい」という感情を表す一連の顔文字を示す図である。また、図１２は、プリセットメロディ２に関連付けられてプリセットメロディテーブルに登録された、「悲しい」という感情を表す一連の顔文字を示す図である。
【００６２】
プリセットメロディテーブルは、所定の感情を表す第２文字列である顔文字と、メロディデータであるプリセットメロディ１〜Ｎとの対応を示している。
【００６３】
また、メロディデータ記憶部３は、使用者が変更可能なメロディデータに加えて、使用者が変更不可能なプリセットメロディデータをさらに記憶している。
【００６４】
そして、本実施の形態３に係る携帯電話機ＭＳ１は、受信メールの本文中の顔文字がメロディテーブルＴａ１に登録されていない場合であっても、プリセットメロディテーブルに登録されている場合には、受信メール本文を表示中に、その顔文字に対応するプリセットメロディを流すように構成されている。
【００６５】
以下、図６，７，１０、図１３〜図１５を参照して、本実施の形態３に係る携帯電話機ＭＳ１の動作について説明する。
【００６６】
＜Ｂ．動作＞
図１３〜図１５は、携帯電話機ＭＳ１の動作を説明するためのフローチャートである。まず、ステップＳ１では、携帯電話機ＭＳ１の使用者がメール機能を起動した際に、制御部８は、携帯電話機ＭＳ１の現在選択されている受信メールの題名、メール送信者（メールアドレス）並びに本文の文字列データを受信データ記憶部２（図１参照）から取得する。
【００６７】
次に、ステップＳ２では、制御部８は、現在選択されている受信メールの本文に、（１）携帯電話機ＭＳ１の使用者によって予めメロディテーブルＴａ１（図２参照）に登録された第１文字列である顔文字が存在するか否か、（２）携帯電話機ＭＳ１が予めプリセットメロディテーブルに設定した第２文字列である顔文字が存在するか否かを判断する。
【００６８】
そして、受信メールの本文中に、携帯電話機ＭＳ１の使用者によって予めメロディテーブルＴａ１に登録された顔文字が存在する場合は、ステップＳ３に進む。具体的には、受信メールの本文中に「楽しい」という感情を表現するメロディ１（図３参照）、「ごめんなさい」という感情を表現するメロディ２（図４参照）などに関連付けてメロディテーブルＴａ１に登録された顔文字（『（≧∇≦）』、『ｍ（＿  ＿）ｍ』など）があった場合は、ステップＳ３に進む。
【００６９】
また、受信メールの本文中に、携帯電話機ＭＳ１が予めプリセットメロディテーブルに設定した顔文字が存在する場合は、ステップＳ４に進む。具体的には、受信メール本文中に、「楽しい」という感情を表現するプリセットメロディ１（図１１参照）、「悲しい」という感情を表現するプリセットメロディ２（図１２参照）などに関連付けてプリセットメロディテーブルに登録された顔文字（『（＾ー＾）人（＾ー＾）』、『（ＴｏＴ）／￣￣』など）があった場合はステップＳ４に進む。
【００７０】
そして、メロディテーブルＴａ１及びプリセットメロディテーブルの何れにも顔文字が存在しない場合（「Ｎｏ」の場合）は、ステップＳ１５に進む。なお、受信メール本文中に、メロディテーブルＴａ１及びプリセットメロディテーブルの両方に登録された顔文字が存在する場合は、ステップＳ３へ優先的に進むように設定されている。
【００７１】
例えば、図７に示す受信メール本文の場合には、顔文字『ｍ（＿  ＿）ｍ』，『（≧∇≦）』，『＼（o￣▽￣o）』が存在し、メロディテーブルＴａ１に登録された顔文字を含んでいる（図３，４参照）ので、ステップＳ３に進む。
【００７２】
次に、ステップＳ３では、受信メール本文選択時に先頭文字位置から最初に表示されるメロディテーブルＴａ１に登録された顔文字に対応したメロディをセットする。図７の例では、受信メール本文の先頭文字位置（「昨日は・・・」の『昨』が該当する）から最初に表示される登録された顔文字は、顔文字（『ｍ（＿  ＿）ｍ』）であり、この顔文字に対応するメロディテーブルＴａ１のメロディは、メロディ２（曲名『ＢＢＢ』）であるので、メロディ２をセットする。
【００７３】
また、ステップＳ４では、受信メール本文の先頭文字位置から最初に表示される顔文字（例えば、『（ＴｏＴ）／￣￣』）に対応するプリセットメロディテーブルのメロディ（曲名『ＹＹＹ』）をセットする。
【００７４】
そして、ステップＳ１５では、受信メールの本文に、メロディテーブルＴａ１に登録された顔文字がなく、さらにプリセットメロディテーブルにも登録された顔文字がないので、携帯電話機ＭＳ１はメロディを流さない。
【００７５】
次に、ステップＳ５では、携帯電話機ＭＳ１の使用者によって、受信メールのトップ画面（図６参照）内の受信メール本文が選択され、現在の携帯電話機ＭＳ１が表示している画面が受信メール本文（図７参照）であるかどうか判断する。
【００７６】
携帯電話機ＭＳ１の表示画面が受信メール本文である場合（「Ｙｅｓ」の場合）、ステップＳ６に進む。携帯電話機ＭＳ１の表示画面が受信メール本文でない場合（「Ｎｏ」の場合）、再び携帯電話機ＭＳ１の表示画面が受信メール本文であるか否かを判断する。
【００７７】
次に、ステップＳ６では、制御部８は、表示画面に受信メール本文が表示されると、ステップＳ３又はステップＳ４でセットされたメロディ（例えば、メロディテーブルのメロディ２：曲名『ＢＢＢ』、プリセットメロディテーブルのメロディ：『ＹＹＹ』等）を流す。図７の例では、メロディ２を流す。
【００７８】
次に、ステップＳ７では、制御部８は、スクロールなどにより、メール本文の先頭文字が変更されたか否かを判断する。具体的には、受信メール本文の文字数が相当数存在する場合、１画面上に表示可能な文字数が限定されている。そのため、受信メール本文のすべての文字を１画面で表示することは困難である。その際、使用者は、図７に示す画面から図１０に示す画面に画面をスクロールさせ、受信メール本文の先頭行をスクリーンアウトして最終行の次行をスクリーンインさせる。
【００７９】
例えば、図７に示す「昨日は・・・」の『昨』から、図１０に示す「突然・・・」の『突』へ受信メール本文の先頭文字が変更されたか否かを判断することで、画面スクロールが行われたか否かを判断する。
【００８０】
受信メール本文の先頭文字が変更された場合（「Ｙｅｓ」の場合）、ステップＳ８に進み、受信メール本文の先頭文字が変更されていない場合（「Ｎｏ」の場合）、ステップＳ１３に進む。なお、受信メール本文の先頭文字が変更されていない場合、受信メール本文表示中はそのまま現在流れているメロディを継続して流す。
【００８１】
次に、ステップＳ８では、制御部８は、画面スクロール後の受信メール本文の先頭文字位置（図９において、「突然・・・」の『突』が該当する。）以降に、（１）メロディテーブルＴａ１に登録された顔文字が存在するか否か、（２）プリセットメロディテーブルに登録された顔文字が存在するか否かを判断する。
【００８２】
そして、メロディテーブルＴａ１に登録済みの顔文字が存在する場合は、ステップＳ９に進む。また、プリセットメロディテーブルに登録済みの顔文字が存在する場合は、ステップＳ１０に進む。ここで、メロディテーブルＴａ１とプリセットメロディテーブルの両方に登録済みの顔文字が存在する場合は、ステップＳ９に優先的に進むように構成している。
【００８３】
一方、メロディテーブルＴａ１及びプリセットメロディテーブルの何れにも顔文字が存在しない場合（「Ｎｏ」の場合）は、ステップＳ１３に進む。また、顔文字が存在しない場合、受信メール本文の表示中はそのまま現在流れているメロディを継続して流す。
【００８４】
図１０の例では、メロディテーブルＴａ１に登録済みの顔文字（『（≧∇≦）』）が存在するので、ステップＳ９に進む。
【００８５】
次に、ステップＳ９では、スクロール後の受信メール本文に存在する顔文字と関連付けられたメロディテーブルＴａ１のメロディが、現在流れているメロディと異なるか否かを判断する。メロディが異なる場合（「Ｙｅｓ」の場合）は、ステップＳ１１に進む。メロディが同一の場合（「Ｎｏ」の場合）は、ステップＳ１３に進む。そして、メロディが同一である場合、受信メール本文の表示中は、そのまま現在流れているメロディを継続して流す。
【００８６】
図１０に示す例では、画面スクロール後の受信メール本文の先頭文字位置（「突然・・・」の『突』が該当する）以降にある顔文字は、顔文字（『（≧∇≦）』）である。そして、この顔文字は、図３に示すように、メロディテーブルＴａ１に登録され、メロディ１：曲名「ＡＡＡ」と関連付けられている。現在流れているメロディ２「ＢＢＢ」と異なるメロディであるため、ステップＳ１１に進む。
【００８７】
次に、ステップＳ１１では、現在の本文先頭文字位置から最初に表示される登録された顔文字に対応するメロディテーブルＴａ１のメロディをセットする。図９に示す例では、スクロール後の先頭文字位置から最初に表示される顔文字（『（≧∇≦）』）であり、図３を参照してメロディ１（曲名『ＡＡＡ』）と関連付けられているため、メロディ１をメロディデータ記憶部３から読み出しセットする。
【００８８】
なお、受信メール本文の先頭文字位置から最初に表示される顔文字が登録されているメロディテーブルＴａ１のメロディと現在流れているメロディが同一である場合、受信メール本文の表示中はそのまま現在流れているメロディを継続して流す。
【００８９】
次に、ステップＳ１０では、画面スクロール後の受信メール本文の先頭文字位置から最初に表示される顔文字（例えば『（＾ー＾）人（＾ー＾）』）が設定されているプリセットメロディテーブルのメロディと、現在流れているメロディが異なるかどうかを判断する。なお、顔文字が設定されているプリセットメロディテーブルのメロディと現在流れているメロディが同一である場合は、受信メール本文表示中はそのまま現在流れているメロディを継続して流す。
【００９０】
次に、ステップＳ１２では、最初に表示される顔文字（例えば、『（＾ー＾）人（＾ー＾）』）が登録されているメロディテーブルＴａ１のメロディ（例えば、曲名『ＸＸＸ』）をセットする。
【００９１】
なお、画面スクロール後の受信メール本文にメロディテーブルＴａ１に登録された顔文字がない場合、及びプリセットメロディテーブルに登録された顔文字がない場合、受信メール本文の表示中はそのまま現在流れているメロディを継続して流す。
【００９２】
次に、ステップＳ１３では、現在表示されている画面において、携帯電話機ＭＳ１の使用者により受信メール本文の表示画面（図７）から受信メールトップ画面（図６）へ画面遷移が行われていないか判断する。
【００９３】
メール本文の表示画面からメール画面トップに遷移した場合（「Ｙｅｓ」の場合）、ステップＳ１４に進む。メール本文の表示画面からメール画面トップに遷移していない場合（「Ｎｏ」の場合）、ステップＳ６に進み、ステップＳ６以下の動作を再び繰り返す。
【００９４】
次に、ステップＳ１４では、携帯電話機ＭＳ１の使用者により現在表示されている画面から受信メールのトップ画面へ画面遷移が行われているので、携帯電話機ＭＳ１は、現在流れているメロディを止める処理を行う。
【００９５】
＜Ｃ．効果＞
本実施の形態３に係る携帯電話機は、実施の形態２と同様の効果に加え、携帯電話機ＭＳ１の使用者が、メロディテーブルＴａ１に顔文字の登録を行っていない場合であっても、プリセットメロディテーブルを備えているので、メロディテーブルＴａ１を優先しつつ、プリセットメロディテーブルに基づいて、メール送信者である携帯電話機ＭＳ２の使用者の意図するメロディを携帯電話機ＭＳ１に流すことができる。
【００９６】
本実施の形態３に係る携帯電話機ＭＳ１は、表示部６に表示される受信メール本文中の先頭文字位置から最初に現れる第２文字列である顔文字に対応するプリセットメロディデータをスピーカー５に出力するように構成されている。そのため、受信メール本文に複数の顔文字が存在する場合であっても、それぞれの顔文字の感情に合った複数のメロディを画面スクロールに応じて順番に流すことができる。
【００９７】
なお、本実施の形態３に係る携帯電話機では、受信メール本文中に第２文字列である顔文字が含まれる場合について説明したが、実施の形態１と同様に、受信メールの題目部分に含まれる顔文字に対応するプリセットメロディを流すようにしてもよい。
【図面の簡単な説明】
【００９８】
【図１】実施の形態１に係る携帯電話機の構成を示す図である。
【図２】実施の形態１に係る携帯電話機の外観及びメロディテーブルを示す図である。
【図３】実施の形態１に係るメロディに関連付けられた顔文字を示す図である。
【図４】実施の形態１に係るメロディに関連付けられた顔文字を示す図である。
【図５】実施の形態１に係る携帯電話機の動作を説明するためのフローチャートである。
【図６】実施の形態１に係る受信メールのトップ画面を示す図である。
【図７】実施の形態１に係る受信メール本文の表示画面を示す図である。
【図８】実施の形態２に係る携帯電話機の動作を説明するためのフローチャートである。
【図９】実施の形態２に係る携帯電話機の動作を説明するためのフローチャートである。
【図１０】実施の形態２に係る受信メール本文の表示画面を示す図である。
【図１１】実施の形態３に係るメロディに関連付けられた顔文字を示す図である。
【図１２】実施の形態３に係るメロディに関連付けられた顔文字を示す図である。
【図１３】実施の形態３に係る携帯電話機の動作を説明するためのフローチャートである。
【図１４】実施の形態３に係る携帯電話機の動作を説明するためのフローチャートである。
【図１５】実施の形態３に係る携帯電話機の動作を説明するためのフローチャートである。
【符号の説明】
【００９９】
１  送受信部、２  受信データ記憶部、３  メロディデータ記憶部、４  メロディテーブル記憶部、５  スピーカー、６  表示部、７  操作部、８  制御部、９  エンコーダ、１０  デコーダ、１１  アンテナ、ＭＳ１，ＭＳ２  携帯電話機、Ｔａ１，Ｔａ２  メロディテーブル。
【図１】
2007316878.tif 000003
【図２】
2007316878.tif 000004
【図３】
2007316878.tif 000005
【図４】
2007316878.tif 000006
【図５】
2007316878.tif 000007
【図６】
2007316878.tif 000008
【図７】
2007316878.tif 000009
【図８】
2007316878.tif 000010
【図９】
2007316878.tif 000011
【図１０】
2007316878.tif 000012
【図１１】
2007316878.tif 000013
【図１２】
2007316878.tif 000014
【図１３】
2007316878.tif 000015
【図１４】
2007316878.tif 000016
【図１５】
2007316878.tif 000017